(57)【要約】【課題】正規に流通していない不正な商品を容易かつ正確に特定する。【解決手段】商品識別情報管理サーバ１０が、検査対象商品ＸのＤＮＡ情報を含む検査対象商品情報を受け付け、検査対象商品ＸのＤＮＡ情報が示す塩基配列パターンが検査対象商品Ｘに対応付けられている商品種類の塩基配列パターンでないと判定したときに、検査対象商品Ｘが真正な商品でない旨の検査結果を報知し、また、正規に流通している全ての商品それぞれを識別するための商品識別情報の中から検査対象商品Ｘの検査対象商品情報に含まれているＤＮＡ情報と同一のＤＮＡ情報を含む商品識別情報を探索し、探索されなかったときに、検査対象商品Ｘは正規に流通している商品でない旨の検査結果を報知する。【選択図】図４
2008009917.tif 000002
【特許請求の範囲】
【請求項１】
検査対象の商品である検査対象商品が正規に流通している商品であるか否かを検査する商品検査装置であって、
正規に流通している全ての商品それぞれを識別するための商品識別情報であり、商品毎に一意に定められている個体識別情報と、商品のＤＮＡ或いはＲＮＡ情報とを含む前記商品識別情報を格納する商品識別情報記憶手段と、
前記検査対象商品のＤＮＡ或いはＲＮＡ情報を含む検査対象商品情報を受け付ける検査対象受付手段と、
前記検査対象商品のＤＮＡ或いはＲＮＡ情報が示す塩基配列パターンが、当該検査対象商品に対応付けられている商品種類の塩基配列パターンであるか否かを判定する塩基配列パターン判定手段と、
前記商品識別情報記憶手段に格納されている前記商品識別情報の中から、前記検査対象商品情報に含まれているＤＮＡ或いはＲＮＡ情報と同一のＤＮＡ或いはＲＮＡ情報を含む商品識別情報を探索する探索手段と、
検査結果を報知する検査結果報知手段とを含み、
前記検査結果報知手段は、
前記塩基配列パターン判定手段により前記検査対象商品に対応付けられている商品種類の塩基配列パターンでないと判定されたときは、前記検査対象商品が真正な商品でない旨の検査結果を報知し、
前記探索手段により前記検査対象商品情報に含まれているＤＮＡ或いはＲＮＡ情報と同一のＤＮＡ或いはＲＮＡ情報を含む商品識別情報が探索されなかったときは、前記検査対象商品は正規に流通している商品でない旨の検査結果を報知する
ことを特徴とする商品検査装置。
【請求項２】
前記商品識別情報には、商品の重量を示す重量情報が含まれており、
前記探索手段によって探索された商品識別情報に含まれている重量情報が示す重量が、前記検査対象商品の重量以下であるか否かを判定する重量判定手段を含み、
前記検査結果報知手段は、前記重量判定手段により前記検査対象商品の重量以下であると判定されたときは、前記検査対象商品は正規に流通している商品でない可能性がある旨の検査結果を報知する
請求項１記載の商品検査装置。
【請求項３】
前記重量判定手段により前記検査対象商品の重量以下であると判定されたときの前記検査結果報知手段による検査結果の報知内容には、前記検査対象商品がクローン商品である可能性がある旨の報知を含む
請求項２記載の商品検査装置。
【請求項４】
前記検査結果報知手段は、前記重量判定手段により前記検査対象商品の重量以下でないと判定されたときは、前記検査対象商品は正規に流通している商品である旨の検査結果を報知する
請求項２または請求項３記載の商品検査装置。
【請求項５】
商品は、食肉、青果物、鶏卵などの食品である
請求項１から請求項４のうちいずれかに記載の商品検査装置。
【請求項６】
検査対象の商品である検査対象商品が正規に流通している商品であるか否かを検査する商品検査方法であって、
前記検査対象商品のＤＮＡ或いはＲＮＡ情報を含む検査対象商品情報を受け付ける検査対象受付ステップと、
前記検査対象商品のＤＮＡ或いはＲＮＡ情報が示す塩基配列パターンが、当該検査対象商品に対応付けられている商品種類の塩基配列パターンであるか否かを判定する塩基配列パターン判定ステップと、
正規に流通している全ての商品それぞれを識別するための商品識別情報であり、商品毎に一意に定められている個体識別情報と、商品のＤＮＡ或いはＲＮＡ情報とを含む前記商品識別情報を格納する商品識別情報記憶手段に格納されている当該商品識別情報の中から、前記検査対象商品情報に含まれているＤＮＡ或いはＲＮＡ情報と同一のＤＮＡ或いはＲＮＡ情報を含む商品識別情報を探索する探索ステップと、
検査結果を報知する検査結果報知ステップとを含み、
前記検査結果報知ステップでは、
前記塩基配列パターン判定ステップにて前記検査対象商品に対応付けられている商品種類の塩基配列パターンでないと判定したときは、前記検査対象商品が真正な商品でない旨の検査結果を報知し、
前記探索ステップにて前記検査対象商品情報に含まれているＤＮＡ或いはＲＮＡ情報と同一のＤＮＡ或いはＲＮＡ情報を含む商品識別情報が探索されなかったときは、前記検査対象商品は正規に流通している商品でない旨の検査結果を報知する
ことを特徴とする商品検査方法。
【請求項７】
前記商品識別情報には、商品の重量を示す重量情報が含まれており、
前記探索ステップによって探索された商品識別情報に含まれている重量情報が示す重量が、前記検査対象商品の重量以下であるか否かを判定する重量判定ステップを含み、
前記検査結果報知ステップでは、前記重量判定ステップにて前記検査対象商品の重量以下であると判定したときは、前記検査対象商品は正規に流通している商品でない可能性がある旨の検査結果を報知する
請求項６記載の商品検査方法。
【請求項８】
前記重量判定ステップにて前記検査対象商品の重量以下であると判定されたときの前記検査結果報知ステップでの検査結果の報知内容には、前記検査対象商品がクローン商品である可能性がある旨の報知を含む
請求項７記載の商品検査方法。
【請求項９】
前記検査結果報知ステップでは、前記重量判定ステップにて前記検査対象商品の重量以下でないと判定したときは、前記検査対象商品は正規に流通している商品である旨の検査結果を報知する
請求項７または請求項８記載の商品検査方法。
【請求項１０】
商品は、食肉、青果物、鶏卵などの食品である
請求項６から請求項９のうちいずれかに記載の商品検査方法。
【発明の詳細な説明】
【技術分野】
【０００１】
本発明は、検査対象の検査対象商品が正規に流通している商品であるか否かを検査する商品検査装置、及び商品検査方法に関する。
【背景技術】
【０００２】
近年、特定の野菜や食肉を購入した消費者等に対して、その野菜や食肉の生産・流通履歴をインターネットなどの通信ネットワークを介して提供するトレーサビリティシステムが利用されるようになってきている。
【０００３】
トレーサビリティシステムでは、野菜や食肉などの商品やその商品の包装に貼付あるいは印字されたコード（トレーサビリティコード）を検索キーとすることで、その商品の生産・流通履歴を検索し閲覧することが可能となる（例えば、特許文献１参照）。
【０００４】
【特許文献１】特開２００５−３１８７５号公報
【発明の開示】
【発明が解決しようとする課題】
【０００５】
ところが、従来のトレーサビリティシステムにおいて用いるために蓄積された商品の生産・流通履歴からは、ある商品が正規に流通している商品であるか否かを確認することができないという問題があった。
【０００６】
すなわち、不正にトレーサビリティコードが付与されている場合や、トレーサビリティコードが不明である場合には、商品の真正な生産・流通履歴を閲覧することが不可能となるため、従来のトレーサビリティシステムにて用いられる商品の生産・流通履歴を利用したとしても、ある商品が正規に流通している商品であるか否かを確認することはできない。
【０００７】
従って、従来の商品管理手法によっては、正規に流通していない不正な商品を発見することが困難であり、そのような不正な商品を的確に排除することができないという問題があった。
【０００８】
本発明は、上述した問題を解消し、正規に流通していない不正な商品を容易かつ正確に特定することができるようにすることを目的とする。
【課題を解決するための手段】
【０００９】
本発明の商品検査装置は、検査対象の商品である検査対象商品が正規に流通している商品であるか否かを検査する商品検査装置であって、正規に流通している全ての商品それぞれを識別するための商品識別情報であり、商品毎に一意に定められている個体識別情報と、商品のＤＮＡ或いはＲＮＡ情報とを含む前記商品識別情報を格納する商品識別情報記憶手段と、前記検査対象商品のＤＮＡ或いはＲＮＡ情報を含む検査対象商品情報を受け付ける検査対象受付手段と、前記検査対象商品のＤＮＡ或いはＲＮＡ情報が示す塩基配列パターンが、当該検査対象商品に対応付けられている商品種類の塩基配列パターンであるか否かを判定する塩基配列パターン判定手段と、前記商品識別情報記憶手段に格納されている前記商品識別情報の中から、前記検査対象商品情報に含まれているＤＮＡ或いはＲＮＡ情報と同一のＤＮＡ或いはＲＮＡ情報を含む商品識別情報を探索する探索手段と、検査結果を報知する検査結果報知手段とを含み、前記検査結果報知手段は、前記塩基配列パターン判定手段により前記検査対象商品に対応付けられている商品種類の塩基配列パターンでないと判定されたときは、前記検査対象商品が真正な商品でない旨の検査結果を報知し、前記探索手段により前記検査対象商品情報に含まれているＤＮＡ或いはＲＮＡ情報と同一のＤＮＡ或いはＲＮＡ情報を含む商品識別情報が探索されなかったときは、前記検査対象商品は正規に流通している商品でない旨の検査結果を報知することを特徴とする。
【００１０】
上記のように構成したことで、正規に流通していない不正な商品を容易かつ正確に特定することができるようになる。
【００１１】
前記商品識別情報には、商品の重量を示す重量情報が含まれており、前記探索手段によって探索された商品識別情報に含まれている重量情報が示す重量が、前記検査対象商品の重量以下であるか否かを判定する重量判定手段を含み、前記検査結果報知手段は、前記重量判定手段により前記検査対象商品の重量以下であると判定されたときは、前記検査対象商品は正規に流通している商品でない可能性がある旨の検査結果を報知する構成とされていてもよい。
【００１２】
前記重量判定手段により前記検査対象商品の重量以下であると判定されたときの前記検査結果報知手段による検査結果の報知内容には、例えば、前記検査対象商品がクローン商品である可能性がある旨の報知を含む。
【００１３】
前記検査結果報知手段は、前記重量判定手段により前記検査対象商品の重量以下でないと判定されたときは、前記検査対象商品は正規に流通している商品である旨の検査結果を報知する構成とされていてもよい。
【００１４】
商品は、例えば、豚肉・牛肉・鶏肉などの食肉、野菜や果物などの青果物、鶏卵などの食品である。
【００１５】
また、本発明の商品検査方法は、検査対象の商品である検査対象商品が正規に流通している商品であるか否かを検査する商品検査方法であって、前記検査対象商品のＤＮＡ或いはＲＮＡ情報を含む検査対象商品情報を受け付ける検査対象受付ステップと、前記検査対象商品のＤＮＡ或いはＲＮＡ情報が示す塩基配列パターンが、当該検査対象商品に対応付けられている商品種類の塩基配列パターンであるか否かを判定する塩基配列パターン判定ステップと、正規に流通している全ての商品それぞれを識別するための商品識別情報であり、商品毎に一意に定められている個体識別情報と、商品のＤＮＡ或いはＲＮＡ情報とを含む前記商品識別情報を格納する商品識別情報記憶手段に格納されている当該商品識別情報の中から、前記検査対象商品情報に含まれているＤＮＡ或いはＲＮＡ情報と同一のＤＮＡ或いはＲＮＡ情報を含む商品識別情報を探索する探索ステップと、検査結果を報知する検査結果報知ステップとを含み、前記検査結果報知ステップでは、前記塩基配列パターン判定ステップにて前記検査対象商品に対応付けられている商品種類の塩基配列パターンでないと判定したときは、前記検査対象商品が真正な商品でない旨の検査結果を報知し、前記探索ステップにて前記検査対象商品情報に含まれているＤＮＡ或いはＲＮＡ情報と同一のＤＮＡ或いはＲＮＡ情報を含む商品識別情報が探索されなかったときは、前記検査対象商品は正規に流通している商品でない旨の検査結果を報知することを特徴とする。
【発明の効果】
【００１６】
本発明によれば、正規に流通していない不正な商品を容易かつ正確に特定することができるようになる。
【発明を実施するための最良の形態】
【００１７】
以下、本発明の一実施の形態について図面を参照して説明する。
図１は、本発明の一実施の形態に係る商品検査装置を含む商品識別情報管理システム１００の構成の例を示すブロック図である。図１に示すように、商品識別情報管理システム１００は、商品識別情報管理サーバ１０と、商品取扱業者端末２１〜２Ｎ（Ｎは任意の正の整数）とを含む。
【００１８】
商品識別情報管理サーバ１０、および商品取扱業者端末２１〜２Ｎは、それぞれ、例えばインターネットなどの通信ネットワーク３０に接続されている。
【００１９】
商品識別情報管理サーバ１０は、ＷＷＷサーバなどの情報処理装置によって構成される。商品識別情報管理サーバ１０は、本システムのシステム管理者によって管理され、商品識別情報などの各種の情報が格納される管理サーバＤＢ１１を備えている。商品識別情報管理サーバ１０は、検査対象の商品である検査対象商品が正規に流通している商品であるか否かを検査する商品検査装置としての機能を有している。なお、管理サーバＤＢ１１は、商品識別情報管理サーバ１０の内部にあっても外部にあってもよい。
【００２０】
商品取扱業者端末２１〜２Ｎは、それぞれ、例えばパーソナルコンピュータや携帯通信端末などの情報処理装置によって構成される。商品取扱業者端末２１〜２Ｎは、それぞれ、所定の商品を取り扱う各種の商品取扱業者（生産業者、流通業者など）によって管理される。
【００２１】
本例では、商品が生産されたときに、その生産業者が商品取扱業者端末を利用して、生産者や生産地などの商品識別情報を商品識別情報管理サーバ１０に通知する。商品識別情報管理サーバ１０は、個体識別情報（商品を一意に特定するための情報であり、例えば各商品に一意に付与される個体識別番号）を発行し、商品取扱業者端末から通知された商品識別情報に含めて管理サーバＤＢ１１に登録する。
【００２２】
また、本例では、各流通過程において、各流通業者が商品取扱業者端末を利用して、流通経路（商品の移動履歴）や流通業者名などの商品識別情報を、該当する商品に付与されている個体識別情報を提示して商品識別情報管理サーバ１０に通知する。商品識別情報管理サーバ１０は、提示された個体識別情報に対応付けして、商品取扱業者端末から通知された商品識別情報を管理サーバＤＢ１１に登録する。
【００２３】
本例では、上記のようにして、商品識別情報が蓄積されていく。なお、例えば書面で情報を収集し、商品識別情報管理サーバ１０を用いてオペレータが商品識別情報を登録するようにするなど、商品識別情報の蓄積方式は、どのようなものであってもよい。
【００２４】
商品識別情報は、商品が生産されてから出荷されるまでに蓄積される第１商品識別情報と、商品が出荷されたあとに蓄積される第２商品識別情報とを含む。よって、第１商品識別情報には、例えば商品が和牛などの牛である場合、牛個体識別台帳に登録される各種の情報が含まれる。なお、第１商品識別情報と第２商品識別情報とは、個体識別情報（個体識別番号）によって対応付けされている。
【００２５】
図２は、第１商品識別情報の例を示す説明図である。図２に示すように、第１商品識別情報は、個体識別番号と、商品が正規の流通経路に乗った日を意味する出生（生産）又は輸入の年月日、商品のＤＮＡ（deoxyribonucleic acid：デオキシリボ核酸）情報、出荷するときの商品の重量、生産者名、生産地名などの各種の情報を含む。ＤＮＡ情報は、商品のＤＮＡを解析することによって得られる塩基配列の一部または全部を示す情報を意味する。
【００２６】
図３は、第２商品識別情報の例を示す説明図である。図３に示すように、第２商品識別情報は、個体識別番号と、商品の移動ルート及び現在の所在地を特定可能な移動履歴、商品の重量、商品が食肉である場合におけるその商品の部位などの各種の情報を含む。部位としては、肩、胸、内臓、胃などが考えられる。
【００２７】
次に、本例の商品識別情報管理システム１００における商品識別情報管理サーバ１０の動作について説明する。図４は、本例の商品識別情報管理サーバ１０が実行する商品検査処理の例を示すフローチャートである。ここでは、検査対象とされる検査対象商品（適正な商品であるか否か確認される対象の確認対象商品）Ｘが、正規に流通経路に乗った商品であるか否かを検査・確認するための処理が実行されるものとする。
【００２８】
商品検査処理において、商品識別情報管理サーバ１０は、先ず、検査対象商品Ｘについての検査対象商品情報を受け付ける（ステップＳ１０１）。この検査対象商品情報は、検査対象商品ＸのＤＮＡ情報、検査対象商品Ｘの所在地（例えば、検査対象商品Ｘが保管などされている現在の場所）、検査対象商品Ｘの重量、検査対象商品Ｘの種類（例えば、豚肉、和牛、国産牛肉、ロース、いちご等の商品の分類、あるいは商品名）などの各種の情報を含む。検査対象商品情報は、商品識別情報管理サーバ１０が備える入力装置により入力するようにしてもよいし、通信ネットワーク３０に接続された端末装置により通信ネットワーク３０を介して入力するようにしてもよい。
【００２９】
次いで、商品識別情報管理サーバ１０は、検査対象商品Ｘが受け付けた検査対象商品情報に含まれている種類の商品であるか否かを確認するために、受け付けた検査対象商品情報に含まれているＤＮＡ情報を解析する（ステップＳ１０２）。すなわち、検査対象商品情報に含まれているＤＮＡ情報が示す塩基配列が、受け付けた検査対象商品情報に含まれている種類の商品であるか否かを解析する。例えば、検査対象商品Ｘが「和牛」であるとされていた場合に、検査対象商品ＸのＤＮＡ情報が示す塩基配列が「和牛」のものであるか否かを解析する。この場合、検査対象となり得る商品の塩基配列パターンを管理サーバＤＢ１１にあらかじめ登録しておき、管理サーバＤＢ１１に登録されている塩基配列パターンと検査対象商品ＸのＤＮＡ情報が示す塩基配列の塩基配列パターンを比較するようにすればよい。
【００３０】
ステップＳ１０２での解析の結果、検査対象商品情報に含まれているＤＮＡ情報が示す塩基配列パターンがその検査対象商品情報に含まれている種類の商品の塩基配列パターンでなかった場合には（ステップＳ１０３のＮ）、商品識別情報管理サーバ１０は、検査対象商品Ｘが異なる種類（真実でない種類）の商品として流通されている旨の確認結果（検査結果）を示す確認結果画面を、例えば自己が備える表示装置に表示する（ステップＳ１０４）。この確認結果画面には、例えば図５に示すように、検査対象商品Ｘについての検査対象商品情報の一部または全部を表示する表示領域と、検査対象商品Ｘの種類が現在対応付けられている種類と異なる旨の確認結果を表示する表示領域と、表示画面を閉じるときに押下される閉じるボタンとが設けられている。図５に示す例では、検査対象商品Ｘが国産豚肉として流通されていたが、ＤＮＡ情報の解析により国産豚肉でないと判定された場合の確認結果が表示されている。
【００３１】
ステップＳ１０２での解析の結果、検査対象商品情報に含まれているＤＮＡ情報が示す塩基配列パターンがその検査対象商品情報に含まれている種類の商品の塩基配列パターンであった場合には（ステップＳ１０３のＹ）、商品識別情報管理サーバ１０は、管理サーバＤＢ１１に格納されている商品識別情報を参照し、検査対象商品Ｘの検査対象商品情報に含まれているＤＮＡ情報を含む商品識別情報を検索することにより、そのＤＮＡ情報に対応付けされている個体識別番号を探索する（ステップＳ１０５）。
【００３２】
検査対象商品Ｘの検査対象商品情報に含まれているＤＮＡ情報を含む商品識別情報が登録されておらず、そのＤＮＡ情報に対応付けされている個体識別番号が探索できなかった場合には（ステップＳ１０６のＮ）、商品識別情報管理サーバ１０は、検査対象商品Ｘが正規に流通経路に乗った商品でない旨の確認結果（検査結果）を示す確認結果画面を、例えば自己が備える表示装置に表示する（ステップＳ１０７）。この確認結果画面には、例えば図６に示すように、検査対象商品Ｘについての検査対象商品情報の一部または全部を表示する表示領域と、検査対象商品Ｘが商品識別情報が登録されていない出所等不明の商品であり正規に流通経路に乗った商品でない旨の確認結果を表示する表示領域と、表示画面を閉じるときに押下される閉じるボタンとが設けられている。
【００３３】
本例では、本システム１００において取り扱う各種の商品については、正規の流通経路を経由している全ての商品の商品識別情報が、管理サーバＤＢ１１に格納され管理されているものとする。
【００３４】
よって、例えば、不正に輸入された出所不明の商品や、不正に流通経路に乗せられた出所等不明の商品については、その商品識別情報が管理サーバＤＢ１１に登録されていないことから、正規に流通経路に乗った商品でないと判定され（ステップＳ１０６のＮ）、その旨を示す確認結果画面が表示される（ステップＳ１０７）。
【００３５】
検査対象商品Ｘの検査対象商品情報に含まれているＤＮＡ情報を含む商品識別情報が登録されており、そのＤＮＡ情報に対応付けされている個体識別番号が探索できた場合には（ステップＳ１０６のＹ）、商品識別情報管理サーバ１０は、検査対象商品Ｘの検査対象商品情報に含まれている検査対象商品Ｘの重量が、探索した個体識別番号に対応付けされている重量（図２に示されている重量。ただし、検査対象商品Ｘの種類が部位である場合には図３に示されている該当部位の重量。）以下であるか否か確認する（ステップＳ１０８）。
【００３６】
検査対象商品Ｘの重量が個体識別番号に対応付けされている重量以下でなければ（ステップＳ１０８のＮ）、商品識別情報管理サーバ１０は、検査対象商品Ｘが正規に流通経路に乗った商品でない可能性があり、検査対象商品Ｘがクローン商品である可能性がある旨の確認結果（検査結果）を示す確認結果画面を、例えば自己が備える表示装置に表示する（ステップＳ１０９）。この確認結果画面には、例えば図７に示すように、検査対象商品Ｘについての検査対象商品情報の一部または全部を表示する表示領域と、検査対象商品Ｘが正規に流通経路に乗った商品でなくクローン商品である可能性がある旨の確認結果を表示する表示領域と、表示画面を閉じるときに押下される閉じるボタンとが設けられている。
【００３７】
すなわち、検査対象商品Ｘの重量が個体識別番号に対応付けされている重量以下でない場合には、正規に流通経路に乗っている商品と同じＤＮＡ情報を有する商品ではあるが、正規に流通経路に乗っている重量を超える量の商品が存在することになるため、検査対象商品Ｘがクローン商品である可能性があると判定され（ステップＳ１０８のＮ）、その旨の確認結果が表示される（ステップＳ１０９）。
【００３８】
検査対象商品Ｘの重量が個体識別番号に対応付けされている重量以下であれば（ステップＳ１０８のＮ）、商品識別情報管理サーバ１０は、検査対象商品Ｘが正規に流通経路に乗った商品である旨の確認結果（検査結果）を示す確認結果画面を、例えば自己が備える表示装置に表示する（ステップＳ１１０）。この確認結果画面には、例えば図８に示すように、検査対象商品Ｘについての検査対象商品情報の一部または全部を表示する表示領域と、検査対象商品Ｘが正規に流通経路に乗った商品である旨の確認結果を表示する表示領域と、表示画面を閉じるときに押下される閉じるボタンとが設けられている。
【００３９】
以上に説明したように、上述した一実施の形態では、商品識別情報管理サーバ１０が、検査対象商品ＸのＤＮＡ情報を含む検査対象商品情報を受け付け、検査対象商品ＸのＤＮＡ情報が示す塩基配列パターンが検査対象商品Ｘに対応付けられている商品種類の塩基配列パターンであるか否かを判定し、検査対象商品Ｘに対応付けられている商品種類の塩基配列パターンでないと判定したときに、検査対象商品Ｘが真正な商品でない旨の検査結果を報知し、また、正規に流通している全ての商品それぞれを識別するための情報であって、商品毎に一意に定められている個体識別情報と、商品のＤＮＡ情報とを含む商品識別情報を格納する管理サーバＤＢ１１に格納されている商品識別情報の中から、検査対象商品Ｘの検査対象商品情報に含まれているＤＮＡ情報と同一のＤＮＡ情報を含む商品識別情報を探索し、検査対象商品Ｘの検査対象商品情報に含まれているＤＮＡ情報と同一のＤＮＡ情報を含む商品識別情報が探索されなかったときに、検査対象商品Ｘは正規に流通している商品でない旨の検査結果を報知する構成としているので、正規に流通していない不正な商品を容易かつ正確に特定することができるようになる。
【００４０】
不正に商品識別情報が付与されている場合や、商品識別情報が不明である場合であっても、ＤＮＡ情報を用いて検査を行うようにしているので、正規に流通していない不正な商品であることを容易かつ正確に特定することができる。
【００４１】
また、上述した一実施の形態では、商品識別情報管理サーバ１０が、探索された商品識別情報に含まれている重量情報が示す重量が、検査対象商品Ｘの重量以下であるか否かを判定し、検査対象商品Ｘの重量以下であると判定したときに、検査対象商品Ｘは正規に流通している商品でない可能性がある旨の検査結果を報知する構成としているので、ＤＮＡ情報によっては評価できないクローン商品であっても、正規に流通していない不正な商品として容易かつ正確に特定することができるようになる。
【００４２】
また、上述した一実施の形態では、商品識別情報管理サーバ１０が、探索された商品識別情報に含まれている重量情報が示す重量が、検査対象商品Ｘの重量以下であると判定したときの検査結果の報知内容に、検査対象商品Ｘがクローン商品である可能性がある旨の報知を含むようにしているので、例えば不正に生産されたコピー商品であることを的確に報知することができる。
【００４３】
また、上述した一実施の形態では、商品識別情報管理サーバ１０が、検査対象商品ＸのＤＮＡ情報が示す塩基配列パターンが検査対象商品Ｘに対応付けられている商品種類の塩基配列パターンであり、検査対象商品Ｘの検査対象商品情報に含まれているＤＮＡ情報と同一のＤＮＡ情報を含む商品識別情報が探索され、かつ、探索された商品識別情報に含まれている重量情報が示す重量が、検査対象商品Ｘの重量以下でないと判定したときに、検査対象商品Ｘが正規に流通している商品である旨の検査結果を報知する構成としているので、正規に流通していない不正な商品でないことを容易かつ正確に特定することができ、その旨を報知することができる。
【００４４】
なお、本システム１００において管理され検査対象とされ得る商品は、例えば、豚肉・牛肉・鶏肉などの食肉、野菜や果物などの青果物、鶏卵などの食品である。
【００４５】
また、上述した一実施の形態では、商品の識別情報としてＤＮＡ情報を用いる構成としていたが、ＤＮＡ情報に基づいてアミノ酸からたんぱく質を合成しているＲＮＡ（リボ核酸）に関するＲＮＡ情報を、ＤＮＡ情報の代りに商品の識別情報として用いるようにしてもよい。
【００４６】
なお、上述した一実施の形態では、商品識別情報管理サーバ１０が備える表示装置に検査結果を表示するようにしていたが、例えば検査を依頼してきた端末装置に検査結果を通信ネットワーク３０を介して送信し、その端末装置が備える表示装置に検索結果を表示するようにしてもよい。また、検査結果は、表示によってではなく、音声やランプなどによって報知するようにしてもよい。
【産業上の利用可能性】
【００４７】
本発明によれば、正規に流通していない不正な商品を容易かつ正確に特定するのに有用である。
【図面の簡単な説明】
【００４８】
【図１】本発明の一実施の形態に係る商品識別情報管理システムの構成の例を示すブロック図である。
【図２】第１商品識別情報の例を示す説明図である。
【図３】第２商品識別情報の例を示す説明図である。
【図４】商品検査処理の例を示すフローチャートである。
【図５】確認結果画面の例を示す説明図である。
【図６】確認結果画面の例を示す説明図である。
【図７】確認結果画面の例を示す説明図である。
【図８】確認結果画面の例を示す説明図である。
【符号の説明】
【００４９】
１０        商品識別情報管理サーバ
１１        管理サーバＤＢ
２１〜２Ｎ  商品取引業者端末
３０        通信ネットワーク
１００      商品識別情報管理システム
【図１】
2008009917.tif 000003
【図２】
2008009917.tif 000004
【図３】
2008009917.tif 000005
【図４】
2008009917.tif 000006
【図５】
2008009917.tif 000007
【図６】
2008009917.tif 000008
【図７】
2008009917.tif 000009
【図８】
2008009917.tif 000010